(57)【要約】      （修正有）【課題】地面などのマット敷き面に対する固定性や、保温性、クッション性、安全性に優れた折り畳み式マットを提供する。【解決手段】２枚のポリエステル生地と、この２枚の表層の間に並列配置され、所定の厚さを持つ複数個のウレタン樹脂パネル１３から成る中間層とを有するサンドイッチ体を形成する。各ウレタン樹脂パネル１３間の介在空間１３ａを含む各ウレタン樹脂パネル１３の周囲において２枚の表層を縫製で結合することにより、各ウレタン樹脂パネル１３を袋入り状態にして重ね置き可能に連結する。【選択図】図１
0003178197.tif 000002
【実用新案登録請求の範囲】
【請求項１】
プリント可能な被覆材である２枚の表層（１１，１２）と、該２枚の表層の間に並列配置され、所定の厚さを持つ複数個の樹脂パネル（１３）から成る中間層とを有するサンドイッチ体を形成し、
前記各樹脂パネル間の介在空間（１３ａ）を含む前記各樹脂パネルの周囲において前記２枚の表層を結合することにより、前記各樹脂パネルを袋入り状態にして重ね置き可能に連結したことを特徴とする折り畳み式マット。
【請求項２】
前記各樹脂パネルは、同形状且つ同サイズのウレタン樹脂であり、前記被覆材は、ポリエステル生地であることを特徴とする請求項１に記載の折り畳み式マット。
【請求項３】
前記２枚の表層の結合は、縫製（１４）によることを特徴とする請求項１または２に記載の折り畳み式マット。
【請求項４】
前記袋入り状態の各樹脂パネルを重ね置きして折り畳んだマット本体について、該折り畳み状態を固定するための固定手段（３０）を備えたことを特徴とする請求項１から３のいずれか一項に記載の折り畳み式マット。  
【請求項５】
前記袋入り状態の各樹脂パネルを重ね置きして折り畳んだマット本体について、該マット本体を持ち運ぶためのベルト手段（４０）を備えたことを特徴とする請求項１から４のいずれか一項に記載の折り畳み式マット。
【考案の詳細な説明】
【技術分野】
【０００１】
本考案は、屋外イベント等に使用する折り畳み式マットに関する。
【背景技術】
【０００２】
水泳大会に限らず体育館でのバスケットボールやバレーボール、屋外の野球やサッカーなどにおいて、その他屋外でのスポーツ観戦や花見などのイベントにおいて、参加者はビニールシート等の敷物を地面に敷いて、その上に座るなどしてイベントを楽しむことが多い。しかし、ビニールシートなどの敷物では地面からの冷気を遮断することができず、またシートを敷いた地面に砂利などの障害物があると快適に使用することができない。
【０００３】
そこで、多数の気泡をシート面上に配列することで保温性やクッション性を備えたエアーマットが提案されている（例えば特許文献１を参照）。
【先行技術文献】
【特許文献】
【０００４】
【特許文献１】実用新案登録第３１３４６３１号公報
【考案の概要】
【考案が解決しようとする課題】
【０００５】
しかしながら、上記特許文献１に記載されるようなエアーマットでは、場所取りなどのためシートだけを地面に敷いておくような場合、非常に軽いため、多少の風でも簡単に吹き飛ばされる恐れがある。そのため、シートの上に石などの重いものを乗せてシートを固定させる面倒な作業が必要であった。
【０００６】
さらに、シートを敷いた地面に鋭利な砂利などの障害物があると、気泡が簡単に破れて、その部分のクッション性や保温性が著しく劣化するだけでなく、安全性も悪化するという問題がある。
【０００７】
また、マット本体を収納する際にも、折り目が形成されないためスムーズに折り畳むことができないばかりか、別途大きな袋などを用意して収納しなければならず、持ち運びにも不便であった。
【０００８】
本考案は、このような事情に鑑みてなされたもので、その目的は、地面などのマット敷き面に対する固定性や、保温性、クッション性、安全性に優れ、しかも収納や持ち運びに便利で宣伝効果も高い折り畳み式マットを提供することにある。
【課題を解決するための手段】
【０００９】
上記目的を達成するために、本考案の折り畳み式マットは、プリント可能な被覆材である２枚の表層（１１，１２）と、該２枚の表層の間に並列配置され、所定の厚さを持つ複数個の樹脂パネル（１３）から成る中間層とを有するサンドイッチ体を形成し、前記各樹脂パネル間の介在空間（１３ａ）を含む前記各樹脂パネルの周囲において前記２枚の表層を結合することにより、前記各樹脂パネルを袋入り状態にして重ね置き可能に連結したことを特徴とする。
【００１０】
この考案によれば、複数個の樹脂パネルから成る中間層が所定の厚さで構成されているので、多少の風でも簡単に吹き飛ばされない重量を持つばかりでなく、砂利などの障害物に対するクッション性も持つ。これにより、地面などのマット敷き面に対する固定性と安全性を兼ね備える。
【００１１】
また、本考案の折り畳み式マットでは、上記考案において、前記各樹脂パネルは同形状且つ同サイズのウレタン樹脂であり、前記被覆材はポリエステル生地であることを特徴とする。
【００１２】
この考案によれば、各樹脂パネルは同形状且つ同サイズであるので、マットを折り畳んだ際に、１つのブロックとしてコンパクトに収納することができる。また、ウレタン樹脂が持つ保温性により、地面等のマット敷き面からの冷気を遮断することが可能となり、使用者は快適な使用感が得られる。また、被覆材は、プリント面に好適なポリエステル生地であるので、容易且つ品質良くプリントが行え、プリント内容をチームのロゴマークとすれば、目印や宣伝効果も期待することができる。
【００１３】
また、本考案の折り畳み式マットでは、上記考案において、前記２枚の表層の結合は、縫製によることを特徴とする。
【００１４】
この考案によれば、２枚の表層の結合を確実に行うことができ、マット本体の折り畳みが何度も繰り返されても、樹脂パネルがマット本体から脱落するような不具合を回避することができる。
【００１５】
また、本考案の折り畳み式マットでは、上記考案において、前記袋入り状態の各樹脂パネルを重ね置きして折り畳んだマット本体について、該折り畳み状態を固定するための固定手段（３０）を備えたことを特徴とする。  
【００１６】
この考案によれば、固定手段として例えば環状のゴムバンドを用いれば、折り畳み状態のマット本体を容易且つ確実に固定することができる。
【００１７】
また、本考案の折り畳み式マットでは、上記考案において、前記袋入り状態の各樹脂パネルを重ね置きして折り畳んだマット本体について、該マット本体を持ち運ぶためのベルト手段（４０）を備えたことを特徴とする。
【００１８】
この考案によれば、ベルト手段を肩掛けベルトなどとすることにより、マット本体の持ち運びが便利になる。
【考案の効果】
【００１９】
本考案の折り畳み式マットによれば、地面などのマット敷き面に対する固定性や、保温性、クッション性、安全性に優れ、しかも収納や持ち運びに便利で宣伝効果も高い。
【図面の簡単な説明】
【００２０】
【図１】実施例に係る折り畳み式マット全体の見下ろし遠近図である。
【図２】図１に示す折り畳み式マットの断面図である。
【図３】実施例に係るマットの折り畳みの様子を示す遠近図である。
【図４】折り畳まれたマット本体の処置を示す斜視図である。
【考案を実施するための形態】
【００２１】
以下、本考案の実施形態について、図面を参照しながら説明する。
図１は、本考案の実施例に係る折り畳み式マットの広げた状態を示す見下ろし遠近図であり、図２は、図１に示す折り畳み式マットの断面図である。      
【００２２】
図１に示す折り畳み式マット１０は、広げた状態で、例えば長さ方向が２００ｃｍ程度、幅方向が１４０ｃｍ程度、厚さ方向が１０ｍｍ程度の略直方体の形状を成す。そして、図１及び図２に示すように、被覆材である２枚の表層としてポリエステル生地１１，１２を用い、中間層である樹脂パネルとして１０枚の板状のウレタン樹脂パネル１３を用いたサンドイッチ体を形成している。
【００２３】
すなわち、このサンドイッチ体では、１０枚のウレタン樹脂パネル１３が相互に４０ｍｍ程度の介在空間１３ａを空けて５枚ずつ縦に２列配置されており、この各ウレタン樹脂パネル１３を挟むようにしてポリエステル生地１１、１２がそれぞれ上下に位置する。各ウレタン樹脂パネル１３は、同形状且つ同サイズであり、例えばマット長さ方向に４０ｃｍ程度、マット幅方向に７０ｃｍ程度、マット厚さ方向に１０ｍｍの略直方体の形状である。また、各ウレタン樹脂パネル１３の硬度は、多少の風でも簡単に吹き飛ばされない重量と、砂利などの障害物に対するクッション性とを併せ持つように、設定されている。
【００２４】
そして、各ウレタン樹脂パネル１３間の介在空間１３ａを含む各ウレタン樹脂パネル１３の全周囲において、２枚のポリエステル生地１１と１２を縫製によって結合してある（縫製箇所１４）。これによって、各ウレタン樹脂パネル１３がポリエステル生地１１、１２の袋の中に入ったような状態になっている。また、各ウレタン樹脂パネル１３は、相互に４０ｍｍ程度の介在空間１３ａを空けてあるので、ウレタン樹脂パネル１３が複数枚重ね置き可能に連結することになる。
【００２５】
図３（ａ），（ｂ）は、本実施例に係る折り畳み式マットの折り畳みの様子を示す遠近図であり、同図（ａ）は折り畳み中の状態を示し、同図（ｂ）は折り畳み完了時の状態を示している。
ここで、図１に示したマット１０における左側最下段のウレタン樹脂パネル１３裏側のポリエステル生地１２面には、例えば会社のロゴマークなどがシルクプリントされたプリント域（後述する）が形成されているものとする。
【００２６】
図１に示す広げた状態のマット１０を折り畳む場合は、まず、マット縦方向中央を軸としてマット１０の左側全体を持ち上げてマット１０の右側全体に重ね置く。この状態を図３（ａ）に示す。このとき、上述したプリント域２１が現れる。
【００２７】
次にプリント域２１が形成されたウレタン樹脂パネル１３を立てるように持ち上げ、上下の折り畳み方向を逆にして各ウレタン樹脂パネル１３を蛇腹状に重ね置く。この状態を図３（ｂ）に示す。
図３（ｂ）に示すように、折り畳まれたマット本体１０は、１０枚のウレタン樹脂パネル１３が重ね置かれた、縦４０ｃｍ程度、横７０ｃｍ程度、厚さ１０ｃｍ程度の１つのブロックとしてコンパクトに収納される。
【００２８】
図４（ａ），（ｂ）は、折り畳まれたマット本体の処置を示す斜視図である。
折り畳まれたマット本体１０は、図４（ａ）に示すように、幅５０ｍｍ程度の環状のゴムバンド３０を用いて固定し、さらに、このマット本体１０に、図４（ｂ）に示すように、幅３２ｍｍ程度のポリベルト４０を装着する。
【００２９】
このポリベルト４０は、折り畳まれたマット本体１０に装着される２つの環状の装着部４１と、２つの装着部４１に連架し使用者の肩に掛けるためのショルダー部４２と、各装着部４２の長さを調節するための２つの調節金具４３とで構成されている。すなわち、２つの環状の装着部４１を、折り畳まれたマット本体１０に通した後、調節金具４３によって各装着部４１の長さを適切な長さに調節すれば、図４（ｂ）に示すような状態となる。これにより、マット本体１０の持ち運びが便利になる。
【００３０】
本実施例では、次のような利点を奏する。
（１）１０枚のウレタン樹脂パネル１３から成る中間層が１０ｍｍの厚さで構成されているので、多少の風でも簡単に吹き飛ばされない重量を持つばかりでなく、砂利などの障害物に対するクッション性も持つ。これにより、地面などのマット敷き面に対する固定性と安全性を兼ね備えることができる。
【００３１】
（２）ウレタン樹脂パネル１３が持つ保温性により、地面等のマット敷き面からの冷気を遮断することが可能となり、使用者は快適な使用感が得られる。
【００３２】
（３）被覆材として、プリント面に好適なポリエステル生地１１，１２を用いたので、プリント域２１において容易且つ品質良くプリントが行え、プリント内容をチームのロゴマークなどとすれば、目印や宣伝効果も期待することができる。
【００３３】
（４）２枚のポリエステル生地１１、１２の結合を縫製によって行うので、当該結合を確実に行うことができ、マット本体１０の折り畳みが何度も繰り返されても、ウレタン樹脂パネル１３がマット本体１０から脱落するような不具合を回避することができる。
【００３４】
（５）環状のゴムバンド３０を用いて折り畳み状態のマット本体１０を固定するので、折り畳まれたマット本体１０を容易且つ確実に固定することができる。
【符号の説明】
【００３５】
１１、１２  ポリエステル生地
１３  ウレタン樹脂パネル
１３ａ  介在空間
１４  縫製箇所
２１  プリント域
３０  ゴムバンド
４０  ポリベルト
【図１】
0003178197.tif 000003
【図２】
0003178197.tif 000004
【図３】
0003178197.tif 000005
【図４】
0003178197.tif 000006